【事件の表示】
　特願２０００−７４３９４「車載用再生装置及び識別名称表示方法」拒絶査定不服審判事件〔平成１３年９月２８日出願公開、特開２００１−２６６５５４〕について、次のとおり審決する。
【結　論】
　本件審判の請求は、成り立たない。
【理　由】
１．手続の経緯・本願発明
　本件審判の請求に係る特許出願（以下、「本願」という。）は、平成１２年３月１６日の出願であって、平成１６年７月２８日付け拒絶理由通知に対して、同年１０月４日付けで手続補正がされたが、同年１０月２６日付けで拒絶査定され、これに対し、同年１２月２日付けで拒絶査定不服審判が請求されたものであり、その後当審による平成１９年５月１０日付け拒絶理由通知に対して、同年７月１３日付けで手続補正がされたものである。
　そして、本願の請求項４に係る発明は、平成１９年７月１３日付け手続補正により補正された明細書の特許請求の範囲の請求項４に記載された事項により特定される次のとおりのものと認める。
　
「【請求項４】
　所定の圧縮形式にて圧縮された楽曲データがフォルダ単位に階層化されて記録されている第１の記録媒体及び、楽曲データと共にテキスト情報が記録されている第２の記録媒体の両方から、楽曲データを読み出して再生可能な車載用再生装置における識別名称表示方法であって、
　再生対象となる記録媒体が、第１の記録媒体及び第２の記録媒体の何れであるかを判別する判別ステップと、
　第１の記録媒体に記録されたフォルダ及び、フォルダ配下の楽曲データを検索する楽曲データ検索ステップと、
　第２の記録媒体からテキスト情報を取得するテキスト取得ステップと、
　所定の記憶部に記憶されるテキストテーブルに、第２の記録媒体を識別するためのディスクタイトル及び楽曲データを識別するためのトラックタイトルをセットする識別名称格納ステップと、
　前記識別名称格納ステップにてテキストテーブルにセットされたディスクタイトル及びトラックタイトルを所定の表示部に表示する表示ステップと、を備え、
　前記識別名称格納ステップは、前記判別ステップが第１の記録媒体と判別した場合に、前記楽曲データ検索ステップにより検索されたフォルダ自身の名称及び楽曲データ自身の名称をディスクタイトル及びトラックタイトルとしてテキストテーブルにセットし、前記判別ステップが第２の記録媒体と判別した場合に、前記テキスト取得ステップにより取得されたテキスト情報に含まれるディスクタイトル及びトラックタイトルをテキストテーブルにセットする、
　ことを特徴とする識別名称表示方法。」（以下、「本願発明」という。）
　
２．引用例
　当審が通知した拒絶の理由で引用（なお、原査定の拒絶の理由では周知例として引用）した、本願出願前に頒布された刊行物である特開平３−２９６９８３号公報（以下、「引用例１」という。）には、マルチディスクプレーヤの表示装置に関して、図面とともに以下の技術事項が記載されている（下線は当審で付した。）。
　（１−ａ）「（１）
音楽ディスク及びＲＯＭディスクを含む複数のディスクを収納しそのディスクのうちのいずれか１を選択的に演奏又は再生可能なマルチディスクプレーヤの表示装置であって、前記複数のディスク毎にそのタイトル及びディスク種別をデータとして記憶する記憶手段と、前記記憶手段の記憶データを全て読み出して読み出したデータに応じてディスク毎のそのタイトル及びディスク種別を表示器に表示せしめる制御手段とからなることを特徴とするマルチディスクプレーヤの表示装置。
　（１−ｂ）「
マルチディスクプレーヤにおいては、通常のＣＤ（コンパクトディスク）等の音楽ディスクだけを収納するのではなく、ＣＤ−ＲＯＭ等のＲＯＭディスクをも音楽ディスクと共に収納して演奏又は再生可能にしたものがある。これは例えば、車載する場合の取付けスペースを考慮したものであり
　（１−ｃ）「
ＲＡＭ２８は第２図に示すように表示データ記憶エリアを有する。表示データ記憶エリアにはディスク番号ｎ（ｎは１から６までの整数）毎にディスクのタイトルの表示文字を示すタイトルデータTTL(n)、ＣＤ−ＲＯＭか否かを示すＣＤ種別データCD(n)及びトラック数を示すトラックデータTCK(n)が記憶される。
　（１−ｄ）第２図には、
表示データ記憶エリアを示す図としてテーブル形式のもの
　
　上記摘示事項及び図面を総合勘案すると、引用例１には、次の発明が記載されているものと認める。
　
「ＣＤ及びＣＤ−ＲＯＭのディスクの演奏又は再生が可能な車載用マルチディスクプレーヤの表示装置において、
テーブル形式の表示データ記憶エリアに、ディスク毎にディスクのタイトルの表示文字を示すタイトルデータを記憶し、
ディスク毎のそのタイトルを表示器に表示せしめる
方法。」（以下、「引用発明」という。）
　
　また、当審が通知した拒絶の理由で引用（なお、原査定の拒絶の理由でも引用）した、本願出願前に頒布された刊行物である特開２０００−５７７５３号公報（以下、「引用例２」という。）には、記録媒体、記録装置および再生装置に関して、図面とともに以下の技術事項が記載されている（下線は当審で付した。）。
　（２−ａ）「【００２２】（実施の形態１）
図１は、本発明の実施の形態１の記録媒体１０６に記録されるディジタルデータの構造を示す。
【００２３】本発明では、
ディジタルデータは、ファイルの形式で記録媒体１０６に格納される。ファイルは、データ管理部２０１と、曲データ部２０２とを含む
【００２４】
データ管理部２０１は、記録媒体１０６に記録されている曲データ２０５を管理する曲データ管理部２０３と、記録媒体１０６に記録されている再生経路情報２１１を管理する再生経路情報管理部２０４とを含む。
　（２−ｂ）「【００３５】
再生経路情報２１１は、曲数２１２と、再生経路情報名２１３と、曲番号＃１〜曲番号＃Ｌの属性情報２１４とを含む。
　（２−ｃ）「【００３８】属性情報２１４は、曲の属性を示す情報である。
属性情報２１４は、ＩＳＲＣ情報２１５と、曲名２１６と、歌手名２１７と、記録済みフラグ２１８と、インデックス番号２１９と、ＵＲＬ情報２２０と、圧縮形式情報２２１と、チャネル数２２２とを含む。
　（２−ｄ）「【００４３】インデックス番号２１９は、曲データが記録媒体１０６に記録されている場合にはその曲データのインデックス番号２０７と同一の値を有し、曲データが記録媒体１０６に記録されていない場合には値「０」を有する。曲データが記録媒体１０６に記録されている場合には、
インデックス番号２１９と同一の値を有するインデックス番号２０７を検索し、検索されたインデックス番号２０７に対応する曲データの記録アドレス２０９を特定することにより、曲データの記録位置を特定することが可能になる。このようにして、再生時に、再生すべき曲データを取り出すことができる。
　（２−ｅ）「【００４５】
圧縮形式情報２２１は、曲データの圧縮形式を示す情報である。
ＭＰ３（ＭＰＥＧ  １  Ｌａｙｅｒ  ３）形式などがある
　（２−ｆ）「【００９７】（実施の形態３）
図８は、本発明の実施の形態３の再生装置８００の構成を示す。
表示部８０３と、取り出し部８０４と、再生部８０５とを含む
【００９８】
記録媒体１０６は、実施の形態１で説明した記録媒体である。記録媒体１０６には、図１に示される構造を有するディジタルデータが記録され得る。
【００９９】なお、
再生装置８００は、携帯型の再生プレーヤに限定されない
　（２−ｇ）「【０１０２】
表示部８０３は、再生している再生経路情報名、曲名、再生経過時間などを表示する。
【０１０３】
取り出し部８０４は、記録媒体１０６から再生経路情報や、再生すべき曲データを取り出す。
【０１０４】
再生部８０５は、取り出し部８０４から取り出した曲データをデコードし、再生する。
　
　また、当審が通知した拒絶の理由で引用（なお、原査定の拒絶の理由でも引用）した、本願出願前に頒布された刊行物である特開平１０−１８８４４６号公報（以下、「引用例３」という。）には、光ディスク再生装置に関して、図面とともに以下の技術事項が記載されている（下線は当審で付した。）。
　（３−ａ）「【０００９】
【発明の実施の形態】以下、この発明に係る再生システムおよび再生装置の一実施例について、図面を参照しながら説明する。
一実施例では、記録媒体としてＣＤを使用しているが、これに限らず、他の種類の光ディスク（例えばＤＶＤ（ディジタル・ビデオ・ディスク）、磁気テープ、光テープ、半導体メモリ等に対してもこの発明を適用することができる。また、記録媒体に記録されている情報は、オーディオデータに限らず、ビデオデータ等であっても良い。
　（３−ｂ）「【００２９】そこで、この発明の一実施例では、
Ｒ乃至Ｗチャンネルを利用してテキスト情報を記録し、再生する場合、より簡単な処理回路で実現できる、ＣＤテキストフォーマットを採用するものである
図９Ａに示すように、先頭から３２ビットのデータ（図９Ａでは、２４ビットのみ示す）をバイト毎のデータに区切り、これらのバイトを識別用のＩＤ１、ＩＤ２、ＩＤ３、ＩＤ４に対して割り付け、ＩＤ領域１を形成する。
テキスト領域２もバイト単位のデータに区切られる
　（３−ｃ）「【００３３】また、ＩＤ１によりモード４が指示されるこの発明の一実施例では、パック内のデータフォーマットは、
図１０に示すように、８ビット（１バイト）毎に区切られたＩＤ１、ＩＤ２、ＩＤ３、ＩＤ４と、テキストバイトtext１〜text１２と、１２ビットのＣＲＣコードとを含む
　（３−ｄ）「【００３９】図１５は、（ＩＤ１＝８０ｈ）のパックの構成例を示すものである。
（ＩＤ１＝８０ｈ）は、アルバム名と最大９９曲の全プログラム名を記録するために用いられる。
図１６Ａから図１６Ｄは、アルバムタイトルが「ＢＥＡＴＬＥＳスペース（図中ではＳＰと表されている）ＴＨＥスペースＢＥＳＴ」、第１曲目の曲名が「ＬＯＶＥスペースＭＥスペースＤＯ」、第２曲目の曲名が「ＴＨＥスペースＷＡＶＥ」、第３曲目の曲名が「ＰＬＥＡＳＥスペースＨＥＬＰ」が記録されている例を示す。
　（３−ｅ）「【００４１】図１６Ｂに２番目のパックの内容を示す。ＩＤ１には、アルバムタイトルを示すので、（８０ｈ）が記録され、ＩＤ２には、アルバムタイトルがディスク全体を示すので、（００ｈ）が記録されている。さらに、ＩＤ３には、２番目のパックを意味する（０１ｈ）が記録され、ＩＤ４には、ＡＳＣＩＩコードを意味し、且つ前のパックで表示済みの文字数１２の１６進表示の（０Ｃｈ）が記録されている。
text1 からtext12には、“ＢＥＳＴスペースＬＯＶＥ”で示される９文字が入るとともに、アルバムタイトルの終端を示すヌルコードと、１曲目のプログラム名である“ＬＯＶＥスペースＭＥ”の７文字がパック２に入り
　（３−ｆ）「【００６２】より具体的な例としては、
車載のオーディオシステムにおいて、再生装置４１が単一のＣＤのプレーヤ、またはＣＤチェンジャーであり
　（３−ｇ）「【００７５】
ＣＤテキストデコーダ７５は、Ｒ〜Ｗチャンネルのサブコードを復号する。ＣＤテキストデコーダ７５には、小容量のＲＡＭを有しており、コントローラ７０の要求に応じてデータを出力する。出力されたＣＤテキストデータは、コントローラ７０において、システムにとって必要なデータが選択され、ＣＤテキストメモリ７６に格納される。ＣＤテキストメモリ７６は、例えばＳＲＡＭで構成される。
　（３−ｈ）「【００８８】若し、ステップＳ２４において、
装着したディスクがＣＤテキストフォーマットのディスクの場合では、ＣＤテキストメモリ７６に読み込まれたＣＤテキストデータの全てあるいはその一部をコントローラ７０を介して制御装置４２に対して送信し
【００８９】上述の再生装置４１の処理によって、再生装置４１から送信される
データを受け取った制御装置４２は、図３５に示す処理を行い、データの種類に応じた文字情報の表示を行う
　
３．対比
　本願発明を、引用発明と比較する。
　（１）引用発明における「ＣＤ及びＣＤ−ＲＯＭのディスク」及び「ＣＤ及びＣＤ−ＲＯＭのディスクの演奏又は再生が可能な車載用マルチディスクプレーヤ」は、それぞれ本願発明における「第１の記録媒体及び第２の記録媒体」及び「第１の記録媒体及び第２の記録媒体の両方から、データを読み出して再生可能な車載用再生装置」に相当する。
　（２）引用発明は、「テーブル形式の表示データ記憶エリアに、ディスク毎にディスクのタイトルの表示文字を示すタイトルデータを記憶し、ディスク毎のそのタイトルを表示器に表示せしめる」ものであるから、本願発明の「テキストテーブルにセットされたディスクタイトルを所定の表示部に表示する表示ステップ」に相当する構成を備えている。
　（３）引用発明における「ディスクのタイトル」は、本願発明における「ディスクタイトル」に相当し、またディスクを識別する名称であるから「識別名称」にも相当する。そして、引用発明は、「車載用マルチディスクプレーヤ」において「表示装置」を備え、「ディスクのタイトル」の表示を行うものであるから、本願発明における「車載用再生装置における識別名称表示方法」に相当する構成を備えている。
　
　すると、本願発明と、引用発明とは、次の点で一致する。
「第１の記録媒体及び第２の記録媒体の両方から、データを読み出して再生可能な車載用再生装置における識別名称表示方法であって、
　テキストテーブルにセットされたディスクタイトルを所定の表示部に表示する表示ステップを備える
識別名称表示方法。」
　
　一方で、両者は、次の各点で相違する。
　（Ａ）再生対象となる第１の記録媒体及び第２の記録媒体について、本願発明では「所定の圧縮形式にて圧縮された楽曲データがフォルダ単位に階層化されて記録されている記録媒体、及び、楽曲データと共にテキスト情報が記録されている記録媒体」であるのに対し、引用発明ではこれらの記録媒体について明示されていない点。
　（Ｂ）表示方法について、本願発明は、「再生対象となる記録媒体が、第１の記録媒体及び第２の記録媒体の何れであるかを判別する判別ステップと、
　第１の記録媒体に記録されたフォルダ及び、フォルダ配下の楽曲データを検索する楽曲データ検索ステップと、
　第２の記録媒体からテキスト情報を取得するテキスト取得ステップと、
　所定の記憶部に記憶されるテキストテーブルに、第２の記録媒体を識別するためのディスクタイトル及び楽曲データを識別するためのトラックタイトルをセットする識別名称格納ステップと、
　前記識別名称格納ステップにてテキストテーブルにセットされたディスクタイトル及びトラックタイトルを所定の表示部に表示する表示ステップと、を備え、
　前記識別名称格納ステップは、前記判別ステップが第１の記録媒体と判別した場合に、前記楽曲データ検索ステップにより検索されたフォルダ自身の名称及び楽曲データ自身の名称をディスクタイトル及びトラックタイトルとしてテキストテーブルにセットし、前記判別ステップが第２の記録媒体と判別した場合に、前記テキスト取得ステップにより取得されたテキスト情報に含まれるディスクタイトル及びトラックタイトルをテキストテーブルにセットする」構成を備えたものであるのに対し、引用発明は前記構成を備えていない点。
　
４．判断
　（相違点Ａについて）
　引用例２に記載されている、所定の圧縮形式にて圧縮された曲データ（本願発明の「楽曲データ」に相当する。）が記録されている記録媒体は、「再生経路情報が複数の曲の属性情報を含む」旨の記載（上記２．（２−ｂ）参照）を考慮すれば、再生経路情報及び該情報に含まれる複数の曲の属性情報の関係が、曲データ（楽曲データ）のファイル構造を規定する階層情報として記録されているものであって、かつ、再生経路情報がフォルダとしての機能を実質的に備えるものと認められる。
　また、引用例３には、楽曲データと共にアルバムタイトル及び曲名からなるテキスト情報が記録されている記録媒体が記載されている（上記２．（３−ｄ）等参照）。
　そして、複数種類の記録媒体から楽曲データを読み出して再生可能とする再生装置が周知技術であること（特開平１１−２５９９７１号公報の段落【００２７】，特開平９−１２８８８７号公報の【請求項１】等参照。）を考慮すれば、上記引用発明における再生対象を、楽曲データが記録された複数種類の記録媒体とすることに困難性は認められず、かつ、その再生対象の種類も当業者が再生装置において用いられているものの中から必要に応じて選択することに過ぎないものである。してみれば、引用発明において、第１の記録媒体及び第２の記録媒体として、引用例２に記載された「所定の圧縮形式にて圧縮された楽曲データがフォルダ単位に階層化されて記録されている記録媒体」及び引用例３に記載された「楽曲データと共にテキスト情報が記録されている記録媒体」を採用することは、当業者であれば容易に想到しうるものである。
　
　（相違点Ｂについて）
　引用例２には、記録媒体から再生経路情報や曲データを取り出し、曲データを再生するとともに再生経路情報名及び曲名（本願発明の「楽曲データ自身の名称」に相当）を表示する再生装置についても記載されている（上記２．（２−ｆ）（２−ｇ）参照）。ここで、複数の曲の属性情報を含む再生経路情報がフォルダとして機能するものであるから（上記相違点Ａについての判断参照）、「再生経路情報名」は、本願発明の「フォルダ自身の名称」に相当する。なお、上記記録媒体から再生経路情報や曲データを取り出す際に、記録媒体に記録されたフォルダとして機能する再生経路情報及びその配下の楽曲データを検索する処理が行われることは自明である。
　また、引用例３には、記録媒体からアルバムタイトル（本願発明の「ディスクタイトル」に相当）及び曲名（本願発明の「トラックタイトル」に相当）からなるテキスト情報を取得して表示する車載用再生装置についても記載されている（上記２．（３−ｂ）乃至（３−ｈ）参照）。
　上記相違点Ａについての判断により、再生対象として上記引用例２及び３に記載された記録媒体を第１の記録媒体及び第２の記録媒体として採用する際に、各記録媒体に係る表示情報として、第１の記録媒体では再生経路情報名及び曲名が、第２の記録媒体ではアルバムタイトル及び曲名が対象とされているところ、両名称の同一性・関連性や、引用発明における種類の異なるディスクの表示内容をテーブル形式の表示データ記憶エリアを用いて共通に扱う点を勘案すれば、各々の表示態様を共通にして、複数の曲から構成される「再生経路情報」と「アルバム」、及び、各々の曲名、の各名称を共通の態様で表示するようになすことは、当業者であれば当然ないし適宜なし得るものである。すると、引用発明における、表示内容がセットされるテキストテーブルにおいて、上記各内容を対応付けてセットすることにより本願発明のようになすことに、格別の困難性はない。
　なお、仕様の異なる複数種類の記録媒体を１つの再生装置で再生する場合に、各記録媒体に応じた処理を行うために再生対象の記録媒体を判別する必要があることは、当業者にとって自明であるから、本願発明に上記引用例２及び３に記載された技術を採用するに当たり、再生対象となる記録媒体を判別する構成を設けることは、当業者が当然に行うことである。
　
　なお、（ｉ）審判請求人は、平成１９年７月１３日付け意見書において、本願の請求項１に係る発明について「ところで、拒絶理由通知書の「３．判断（相違点Ａについて）」にて、審判官殿は、『・・・同文献段落［００３５］における「再生経路情報が複数の曲の属性情報を含む」旨の記載を考慮すれば、楽曲データがフォルダ単位に階層化されているものと認められる。』と、主張されております。
　しかしながら、引用文献２には、ＰＶＤ（Primary Volume Description）やパステーブル等の記載がなく、また、そもそも、「フォルダ」や「ディレクトリ」等の記載が全くありません。
　しかも、段落［００２５］には、『曲データ部２０２には、Ｎ個の曲データ２０５（すなわち、曲データ＃１〜曲データ＃Ｎ）が記録されている。ここで、０≦Ｎ≦９９９である。・・・』と記載され、また、段落［００２６］には、『曲データ管理部２０３には、記録媒体１０６に記録されているＮ個の曲データ２０５（すなわち、曲データ＃１〜曲データ＃Ｎ）を管理するための情報が記録される。・・・』と記載されております。
　更に、記録媒体１０６のディジタルデータの構造を示す『図１』を参照しても、曲データが、通常の音楽ＣＤや音楽ＭＤと同様に、階層化されることなく、並列に記録されていることは、明らかであります。
　なお、再生経路情報につきましても、段落［００３２］の記載や図１を参照して明らかなように、階層化されることなく、並列に記録されております。
　また、複数種類の記録媒体から楽曲データを読み出して再生可能とする周知技術（特開平１１−２５９９７１号公報や特開平９−１２８８８７号公報）におきましても、少なくとも「所定の圧縮形式にて圧縮された楽曲データがフォルダ単位に階層化されて記録されている記録媒体」からフォルダ及び、フォルダ配下の楽曲データを検索する技術は、開示されておりません。
　そのため、上記1a)判別手段における少なくとも、「第１の記録媒体」（つまり、所定の圧縮形式にて圧縮された楽曲データがフォルダ単位に階層化されて記録されている記録媒体）を判別する内容、並びに、上記1b)楽曲データ検索手段は、引用文献２及び周知技術等には、何ら開示されていないと考えます。」と主張し、さらに上記本願請求項１に相当する方法の発明である請求項４に係る発明についても、本願請求項１と同様である旨主張する。
　しかしながら、本願明細書において階層化について記載されている段落【００２０】における「ＰＶＤ（Primary Volume Description）には、データ領域に記録された楽曲データ等のファイル構造を規定する情報（階層構造等）が記録されている。例えば、楽曲データが図２（ｃ）に示すようなファイル構造から構成されている場合、ＰＶＤには、このファイル構造を規定する階層情報が記録されている。また、パステーブルには、ＰＶＤにて規定されるファイル構造中の各楽曲データのアドレス、すなわち、データ領域に記録された楽曲データのアドレス等が記録されている。」との記載からみて、階層情報はファイル構造を規定するもので、楽曲データ自身が（物理的に）階層化されているものではなく、楽曲データがデータ領域に記録され該楽曲データの構造を規定する情報がＰＶＤに記録されたものと認められる。また、関連する図２（ｃ）には、上記階層構造として、複数のファイルがフォルダの配下にある構造が示されている。すると、引用例２に記載された、複数の曲の属性情報を含む再生経路情報は、再生経路情報及び該情報に含まれる複数の曲の属性情報の関係が曲データのファイル構造を規定する階層情報として記録されている点で、本願明細書の上記構成と相違するものではなく、かつ、複数の曲の属性情報を含むものである再生経路情報は、上記フォルダとしての機能を実質的に備えるものであるから、本願明細書の上記構成と相違するものではない。そして、上記相違点Ｂについての判断で示したとおり、判別及び楽曲データ検索を行うことは、引用例１乃至３に記載された発明並びに周知技術に基づいて、当業者が容易に発明をすることができたものである。
　
（ii）審判請求人は、同意見書において、本願の請求項１に係る発明について「また、拒絶理由通知書の「３．判断（相違点Ｂについて）」にて、審判官殿は、『・・・同文献には、再生する曲名を表示する点も記載されており、前記「曲名」は、本願発明の「楽曲データの識別名称」に相当する。』と、主張されております。
　しかしながら、曲名は、引用文献２の発明の特徴と言える、再生経路情報管理部の再生経路情報（属性情報）にて定義されております。そして、再生経路情報は、段落［００６２］に記載されておりますように、「インターネットを通じて入手」したり、「ユーザが再生経路情報を新規に作成」します。つまり、楽曲データ自身の名称等とは異なり、ＣＤテキストのように特別に作成されたものと言えます。
　また、引用文献３にも、ＣＤからＣＤテキストを読み出すことが記載されているだけであります。
　そのため、上記1e)制御手段における少なくとも、「第１の記録媒体と判別された場合に、この媒体から検索されたフォルダ自身の名称及び楽曲データ自身の名称を、ディスクタイトル及びトラックタイトルとしてテキストテーブルにセットし、」の内容は、引用文献２，３には、何ら開示されていないと考えます。」と主張し、さらに上記本願請求項１に相当する方法の発明である請求項４に係る発明についても、本願請求項１と同様である旨主張する。
　しかしながら、引用例２に記載されている曲名が、「インターネットを通じて入手」し、又は「ユーザが再生経路情報を新規に作成」したものであっても、曲データ（楽曲データ）に対する名称として「曲名」を用いる構成である以上、該曲名として「楽曲データ自身の名称」が用いられることは、通常的に行われていることであると認められる。また、上記相違点Aについての判断において、再生経路情報がフォルダとしての機能を実質的に備えるものであると認め、該再生経路情報には再生経路情報名が付されているものであるから、前記「再生経路情報名」は「フォルダ自身の名称」に相当するものである。
　
（iii）審判請求人は、同意見書において、本願の請求項１に係る発明について「更に、補正によって、上記1d)識別名称記憶手段は、引用文献１の「ＣＤ種別データをテーブル形式の表示データ記憶エリアに記憶するＲＡＭ」と異なっており、また、上記1f)表示手段は、引用文献１の「判別結果がＣＤ−ＲＯＭならば、ＲＡＭの表示データ記憶エリアにおいてＣＤ種別データをＲＯＭとして設定して「ＲＯＭ」を表示し、通常のＣＤならば、何も表示しない手段」と異なっております。」と主張し、さらに上記本願請求項１に相当する方法の発明である請求項４に係る発明についても、本願請求項１と同様である旨主張するが、上記補正されたものに対しても、依然として、引用例１乃至３に記載された発明並びに周知技術に基づいて、当業者が容易に発明をすることができたものであることは、上記判断で示したとおりである。
　
　したがって、審判請求人による平成１９年７月１３日付け意見書における上記各主張は、いずれも採用することができない。
　
　そして、上記相違点を総合して判断しても、本願発明の奏する効果は、引用例１乃至３並びに周知技術から当業者が十分に予測できたものであって、格別なものとはいえない。
　
　したがって、本願発明は、その出願前に頒布された刊行物である引用例１乃至３に記載された発明並びに周知技術に基づいて、当業者が容易に発明をすることができたものである。
　
５．むすび
　以上のとおり、本願の請求項４に係る発明は、引用例に記載された発明に基づいて当業者が容易に発明をすることができたものであるから、特許法第２９条第２項の規定により特許を受けることができない。
　したがって、本願は、その余の請求項について論及するまでもなく、拒絶すべきものである。
　
　よって、結論のとおり審決する。